(57)【要約】【課題】開閉部材の開位置から閉位置への切換え時間を短縮でき、開閉部材と入賞口の上縁部との間に遊技球が挟まって球噛み状態になるのを防止可能な入賞口装置を備えたパチンコ遊技機を提供する。【解決手段】大入賞口装置１３は、開閉部材２０と駆動手段２１とを備え、駆動手段２１は、開閉部材２０を開方向に駆動するソレノイドアクチュエータ２９と、開閉部材２０を閉方向へ駆動し出力軸２９ａに並列状に外嵌された第１，第２バネ部材３４，４５とを有し、開閉部材２０が開位置から閉位置への復帰動作の前期と中期においては、開閉部材２０は、第１バネ部材３４の弾性付勢力と、第２バネ部材３５の弾性付勢力とからなる強い弾性付勢力により付勢され、復帰動作の終期においては、第１バネ部材３４の弱い弾性付勢力により付勢される。【選択図】図９
2010227319.tif 000002
【特許請求の範囲】
【請求項１】
遊技盤と、入賞口を有する入賞口装置とを備えたパチンコ遊技機において、
前記入賞口装置は、前記入賞口を開閉する開閉部材と、この開閉部材を開閉駆動する駆動手段とを備え、
前記駆動手段は、前記開閉部材を開方向へ駆動するソレノイドアクチュエータと、前記開閉部材を閉方向へ駆動するバネ部材とを有し、
前記バネ部材は、前記開閉部材を閉方向へ駆動する第１，第２バネ部材を有し、
前記第１バネ部材は、第２バネ部材よりも弱い弾性付勢力を発生させるバネ部材であることを特徴とするパチンコ遊技機。
【請求項２】
前記第１，第２バネ部材が前記ソレノイドアクチュエータの出力軸に直列状又は並列状に外嵌された圧縮コイルバネであることを特徴とする請求項１に記載のパチンコ遊技機。
【請求項３】
前記入賞口装置は、大入賞口を有する大入賞口装置であり、
前記開閉部材は、遊技盤の盤面と平行な軸回りに開閉動作することを特徴とする請求項１又は２に記載のパチンコ遊技機。
【請求項４】
前記開閉部材はその閉位置のときの上端部が大入賞口の上縁部の前側に位置することを特徴とする請求項３に記載のパチンコ遊技機。
【請求項５】
前記入賞口装置は、始動入賞口を有する始動入賞口装置であり、
前記開閉部材は、遊技盤の盤面と直交する軸回りに開閉動作する１対の開閉部材であることを特徴とする請求項１又は２に記載のパチンコ遊技機。
【発明の詳細な説明】
【技術分野】
【０００１】
本発明は、入賞口を有する入賞装置を備えたパチンコ遊技機に関し、特に、入賞口を開閉する開閉部材が開位置から閉位置へ閉動作する際、開閉部材と入賞口の上縁部との間に遊技球が挟まって球噛み状態となるのを極力防止可能なパチンコ遊技機に関するものである。
【背景技術】
【０００２】
従来から、パチンコ遊技機においては、大当り遊技状態のとき、所定の入賞条件に基づいて、例えば、大入賞口装置の大入賞口が最大で設定回数（例えば、１５ラウンド）まで開閉される。大入賞口の各開放は、大入賞口に所定数（例えば、１０個）の遊技球が入賞するか、又はその開放時から所定時間（例えば、３０秒間）経過するまで維持される。
【０００３】
従来の大入賞口装置は、大入賞口を開閉する開閉部材と、開閉部材を駆動する駆動手段とを備え、駆動手段は、開閉部材を開方向へ駆動するソレノイドアクチュエータと、開閉部材を閉方向へ駆動するバネ部材とを有する。バネ部材は、ソレノイドアクチュエータの出力軸に外嵌されている。ソレノイドアクチュエータに通電して駆動すると、開閉部材が開動作し、その後、ソレノイドアクチュエータへの通電を停止すると、バネ部材の付勢力により開閉部材が閉動作する。
【０００４】
近年、パチンコ遊技機には、遊技領域に画面サイズが大きい画像表示器や可動役物を備えた大型のセンタ役物が配置され、センタ役物の下側に配置される大入賞口の配置スペースが制限されるため、従来の大入賞口装置（図１７参照）に比べて上下幅を小さくして小型化した大入賞口装置（図１８参照）も実用化されつつある。
【０００５】
他方、特許文献１には、開閉部材の動きを感知する感知センサを備えた大入賞口装置が開示されている。開閉部材が開位置から閉位置へ復帰する際、開閉部材と大入賞口の上縁部との間に遊技球が挟まった場合、感知センサがその球噛み状態を検知する。
【先行技術文献】
【特許文献】
【０００６】
【特許文献１】特開２００１−４６６９３号公報
【発明の概要】
【発明が解決しようとする課題】
【０００７】
従来の大入賞口装置においては、複数ラウンドの各ラウンドにおいて開閉部材の開動作により大入賞口が開放され、規定数の遊技球の入賞等により、開閉部材を閉位置に切換えるが、開閉部材の閉動作中に入賞する遊技球は規定数を超える遊技球であり、この規定数を超える遊技球の入賞を極力抑えることが望ましい。
【０００８】
そこで、バネ部材の弾性付勢力を強くすることにより開閉部材の閉動作の速度を高め、閉位置への切換え時間を短縮することができる。しかし、開閉部材１０１をバネ部材の強い付勢力により閉方向へ付勢する場合には、図１７に示すように、開閉部材１０１が開位置から閉位置へ復帰する際に、開閉部材１０１と大入賞口１０２の上端縁との間に遊技球Ｐが挟まって球噛み状態になり易いという問題がある。
【０００９】
一方、バネ部材の付勢力を弱くすると、開閉部材の閉動作の速度が遅くなるので、開閉部材と大入賞口の上端縁との間に遊技球が挟まりにくくなり、球噛み状態になりにくくなる反面、開閉部材の開位置から閉位置への切換え時間を短縮することができない。
【００１０】
図１８に示すように、小型化した大入賞口装置１０３においては、大入賞口１０５の上下幅が従来の大入賞口１０２の上下幅に比べて小さくなるため、球噛み状態になるときの大入賞口１０５の前方へ傾斜する傾斜角度（β）が、図１７に示す従来の傾斜角度（α）に比べて大きくなるので、遊技球が球噛みし易くなる。
【００１１】
特許文献１の大入賞口装置においては、感知センサにより球噛みを感知できるものの、球噛みを防止することはできない。
本発明の目的は、開閉部材の開位置から閉位置への切換え時間を短縮でき、開閉部材と入賞口の上縁部との間に遊技球が挟まって球噛み状態になるのを防止可能な入賞口装置を備えたパチンコ遊技機を提供することである。
【課題を解決するための手段】
【００１２】
本願発明は以下の構成を有するものである。尚、参照符号は、本発明の理解促進の為に図面に図示した構成要素との対応関係の一例を示したものであり、本願発明の技術的範囲を限定するものではない。
請求項１のパチンコ遊技機は、遊技盤(4)と、入賞口(11b,14)を有する入賞口装置(11,14)とを備えたパチンコ遊技機(1)において、入賞口装置(11,14)は、入賞口(11b,14)を開閉する開閉部材(11c,20)と、この開閉部材(11c,20)を開閉駆動する駆動手段(21,40)とを備え、駆動手段(21,40)は、開閉部材(11c,20)を開方向へ駆動するソレノイドアクチュエータ(29,43)と、開閉部材(11c,20)を閉方向へ駆動するバネ部材(30,44)とを有し、バネ部材(30,44)は、開閉部材(11c,20)を閉方向へ駆動する第１，第２バネ部材(34,34A,47,35,35A,48)を有し、第１バネ部材(34,34a,47)は第２バネ部材(35,35A,48)よりも弱い弾性付勢力を発生させるバネ部材である。
【００１３】
ソレノイドアクチュエータ(29,43)が駆動されると、開閉部材(11c,20)が開動作して入賞口(11b,14)が開放され、その後、ソレノイドアクチュエータ(29,43)の駆動が停止されると、第１，第２バネ部材(34,34A,47,35,35A,48)の弾性付勢力により開閉部材(11c,20)が閉動作して入賞口(11b,14)が閉塞される。開閉部材(11c,20)が開位置から閉位置への復帰動作の前期と中期においては、開閉部材(11c,20)は、第１バネ部材(34,34A,47)の弾性付勢力と，第２バネ部材(35,35A,48)の弾性付勢力とからなる強い弾性付勢力により付勢され、復帰動作の終期においては、第１バネ部材(34,34A,47)の弱い弾性付勢力により付勢されるように構成することができる。その場合、復帰動作の所要時間を延ばすことなく、復帰動作の終期における弾性付勢力を弱くし、球噛みの発生を防止することできる。
【００１４】
請求項２のパチンコ遊技機は、請求項１の発明において、第１，第２バネ部材(34,34A,47,35,35A,48)がソレノイドアクチュエータ(29,43)の出力軸(29a,43a)に直列状又は並列状に外嵌された圧縮コイルバネであることを特徴としている。
【００１５】
請求項３のパチンコ遊技機は、請求項１又は２の発明において、入賞口装置は、大入賞口(14)を有する大入賞口装置(13)であり、開閉部材(20)は、遊技盤(4)の盤面(4a)と平行な軸回りに開閉動作することを特徴としている。
請求項４のパチンコ遊技機は、請求項３の発明において、開閉部材(20)はその閉位置のときの上端部が大入賞口(14)の上縁部の前側に位置することを特徴としている。
【００１６】
請求項５のパチンコ遊技機は、請求項１又は２の発明において、入賞口装置は、始動入賞口(11b)を有する始動入賞口装置(11)であり、開閉部材(11c)は、遊技盤(4) の盤面(4a)と直交する軸回りに開閉動作する１対の開閉部材(41a,41b)であることを特徴としている。
【発明の効果】
【００１７】
請求項１の発明によれば、入賞口装置は、開閉部材と駆動手段とを備え、駆動手段は、ソレノイドアクチュエータとバネ部材とを有し、バネ部材は開閉部材を閉方向へ駆動する第１，第２バネ部材を有し、第１バネ部材は、第２バネ部材よりも弱い弾性付勢力を発生させるバネ部材であるので、作用の説明の欄で説明したように、開閉部材が開位置から閉位置へ復帰する復帰動作の所要時間を延ばすことなく、復帰動作の終期における弾性付勢力を弱くし、球噛みの発生を確実に防止することできる。
【００１８】
請求項２の発明によれば、第１，第２バネ部材はソレノイドアクチュエータの出力軸に直列状又は並列状に外嵌された圧縮コイルバネである。そのため、直列状に外嵌する場合にも、並列状に外嵌する場合にも、開閉部材の閉位置への復帰動作の前期と中期においては第１，第２バネの強い付勢力を作用させ、復帰動作の終期に弱い第１バネの付勢力を作用させるように構成することができる。
【００１９】
請求項３の発明によれば、入賞口装置は、大入賞口を有する大入賞口装置であり、開閉部材は、遊技盤の盤面と平行な軸回りに開閉動作するので、通常の大入賞口装置と同様の大入賞口装置を実現することができる。
【００２０】
請求項４の発明によれば、開閉部材はその閉位置のときの上端部が大入賞口の上縁部の前側に位置するので、開閉部材の上端部と大入賞口の上縁部との間に遊技球が挟まり易い構造になるが、既述のように球噛み状態となるのを防止することができる。
【００２１】
請求項５の発明によれば、入賞口装置は、始動入賞口を有する始動入賞口装置であり、開閉部材は、遊技盤の盤面と直交する軸回りに開閉動作する１対の開閉部材であるので、１対の開閉部材が開位置から閉位置へ復帰する際、閉まりかかった１対の開閉部材の間に遊技球が挟まっても、その球噛み状態を確実に解消することができる。
【図面の簡単な説明】
【００２２】
【図１】本発明の実施例のパチンコ遊技機の概略正面図である。
【図２】遊技盤の正面図である。
【図３】大入賞口装置の正面図である。
【図４】開閉部材が閉位置のときの駆動手段の斜視図である。
【図５】開閉部材が開位置のときの駆動手段の斜視図である。
【図６】入賞口ケースの要部の断面図である。
【図７】開閉部材が閉位置のときの大入賞口装置の左側面断面図である。
【図８】開閉部材が開位置のときの大入賞口装置の左側面断面図である。
【図９】出力軸に並列状に外嵌された第１，第２バネ部材が伸張状態のときの拡大断面図である。
【図１０】第１，第２バネ部材のバネ力と変形量を説明する説明図である。
【図１１】出力軸に直列状に外嵌された第１，第２バネ部材が伸張状態のときの拡大断面図である。
【図１２】実施例２に係る開閉部材が閉位置のときの始動入賞口装置の正面図である。
【図１３】開閉部材が開位置のときの始動入賞口装置の正面図である。
【図１４】開閉部材が閉位置のときの駆動手段の斜視図である。
【図１５】開閉部材が閉位置のときの駆動手段の斜視図である。
【図１６】出力軸に並列状に外嵌された第１，第２バネ部材が伸張状態を示す拡大断面図である。
【図１７】球噛み状態のときの従来の大入賞口装置の側面図である。
【図１８】球噛み状態のときの小型化された大入賞口装置の側面図である。
【発明を実施するための形態】
【００２３】
以下、本発明を実施するための最良の形態について実施例に基づいて説明する。
【実施例１】
【００２４】
以下、本発明の実施例１を図面に基づいて説明する。
図１、図２に示すように、第１種パチンコ機に分類されるパチンコ遊技機１には、パチンコホールの島構造体に取り付けられる外枠に開閉枠２が開閉自在に装着され、開閉枠２に開閉扉３が開閉自在に装着されている。開閉枠２には遊技盤４が装着され、その遊技盤４の前面側に遊技領域５が形成されている。開閉扉３には窓部３ａが形成され、その窓部３ａに透明板３ｂが装着され、その透明板３ｂにより遊技領域５の前側が覆われている。この透明板３ｂを通して外部から遊技領域５を見ることができる。
【００２５】
開閉扉３の上部には複数の装飾ランプ（枠ランプ）３ｃが設けられ、窓部３ａの下側には、所謂チャンスボタンと呼ばれる遊技者が操作可能な演出ボタン９と、発射用の遊技球Ｐや入賞球を貯留する貯留皿６と、遊技者が操作する発射ハンドル７が装着されている。発射ハンドル７が回動操作されると、貯留皿６から発射位置に導入された遊技球Ｐが発射される。ここで、貯留皿６に複数の遊技球Ｐが存在する場合には、例えば、複数の遊技球Ｐが約０．６秒間隔で連続的に発射される。発射された遊技球Ｐは、ガイドレール８で案内されて遊技領域５の頂部に投入される。
【００２６】
図２に示すように、鉛直な盤面４ａを形成する遊技盤４には、多数の障害釘１０、始動入賞口装置１１、ゲート１２、大入賞口装置１３、複数の普通入賞口１５、画像表示器１６、センタ役物１７が遊技領域５に装着され、遊技領域５外に遊技表示盤１８が装着されている。遊技盤４の裏側には制御装置（図示略）が装着されている。
【００２７】
遊技領域５の頂部に投入された遊技球Ｐは、遊技領域５の多数の障害釘１０や風車（図示略）に当たって方向を変えながら落下して、始動入賞口装置１１の始動入賞口１１ａ、１１ｂ、ゲート１２、大入賞口装置１３の大入賞口１４、複数の普通入賞口１５の何れかに入賞して遊技領域５外へ排出されるか、最下端まで落下してアウト口１９から遊技領域５外へ排出される。
【００２８】
図２に示すように、始動入賞口装置１１は、センタ役物１７の下側に配置され、電チューと呼ばれる左右１対の開閉部材を備えた電動式チューリップ型役物を含む構成である。始動入賞口装置１１は、ゲート式の上始動入賞口１１ａと、開閉式の下始動入賞口１１ｂ、下始動入賞口１１ｂを開閉する開閉部材１１ｃ、始動入賞口１１ａ、１１ｂに入賞した遊技球Ｐを検出する始動口ＳＷ（図示略）、開閉部材１１ｃを開閉駆動する駆動手段（図示略）を有する。開閉部材１１ｃは、左右対称形状の１対の羽根部材が盤面４ａと直交する軸回りに回動するように構成され、閉塞位置で下始動入賞口１１ｂへの遊技球Ｐの入賞を不可能にし、開放位置で下始動入賞口１１ｂへの遊技球Ｐの入賞を可能にする。図２に示す開閉部材１１ｃは閉塞位置にある。
【００２９】
ゲート１２はセンタ役物１７の左側に配置され、このゲート１２を通過した遊技球Ｐを検出するゲートＳＷ（図示略）が付設されている。ゲート１２を遊技球Ｐが通過することを契機とする抽選により当選した場合に、始動入賞口装置１１が作動して、通常は閉塞の下始動入賞口１１ｂを開閉するように開閉部材１１ｃを開閉動作させる。
【００３０】
遊技表示盤１８は、遊技領域５の下側の右側領域に前方へ向けて配置され、７セグメント表示器からなる特別図柄表示器１８ａ、○×に表示可能な普通図柄表示器１８ｂ、４つの特別図柄保留ランプ１８ｃ、４つの普通図柄保留ランプ１８ｄを備え、これら表示器１８ａ〜１８ｄは発光ダイオード（ＬＥＤ）を発光源としている。特別図柄表示器１８ａには、始動入賞口１１ａ，１１ｂへの遊技球Ｐの入賞を契機に行われる抽選の結果が変動表示後に表示され、普通図柄表示器１８ｂには、ゲート１２を遊技球Ｐが通過することを契機に行われる抽選の結果が変動表示後に表示される。
【００３１】
特別図柄表示器１８ａの変動表示中に、始動入賞口１１ａ，１１ｂに入賞した入賞球の個数であって、特別図柄の変動が未実行の入賞球の保留数が最大で４つまで保留され、特別図柄保留ランプ１８ｃには、その特別図柄の保留数が表示される。同様に、普通図柄表示器１８ｂの変動表示中に、ゲート１２を通過した遊技球Ｐの数であって、普通図柄の変動が未実行の遊技球Ｐの保留数が最大で４つまで保留され、普通図柄保留ランプ１８ｄには、その普通図柄の保留数が表示される。
【００３２】
画像表示器１６は、液晶ディスプレイ（ＬＣＤ）からなり、枠状のセンタ役物１７内に装着されている。この画像表示器１６には、例えば、図２に示すように演出図柄（装飾図柄）が表示される。この演出図柄は、リーチや大当りに対する遊技者の期待感を喚起するために演出目的で表示されるものである。遊技者は、この演出図柄の停止態様を見て特別図柄表示器１８ａの特別図柄の停止態様が当りか否かを認識することができる。つまり、演出図柄は、特別図柄の変動表示に連動して変動表示され、演出図柄の停止図柄の組み合わせが特定の組み合わせで表示された場合には（例えば、「７７７」）、遊技状態が通常の遊技状態から大当り状態や確率変動大当り状態などの特別利益状態に移行される。
【００３３】
次に、大入賞口装置１３について詳しく説明する。
図２〜図８に示すように、大入賞口装置１３は始動入賞口装置１１の下側に配置され、大入賞口１４と、盤面４ａと平行方向の水平な軸回りに開閉動作する開閉部材２０と、大入賞口１４に入賞した遊技球Ｐを検出する大入賞口ＳＷ（図示略）と、開閉部材２０を開閉駆動する駆動手段２１と、駆動手段２１を収容する入賞口ケース２２とを有する。
【００３４】
図３、図６〜図８に示すように、入賞口ケース２２は、合成樹脂材料で前端開放状の矩形箱状に形成されている。遊技領域５における大入賞口１４の配置スペースが制限されるため、大入賞口１４の上下幅が従来の大入賞口と比べて小さく形成されている。入賞口ケース２２の前端には装飾板部材２３が配設されている。
【００３５】
図３に示すように、装飾板部材２３は、正面視にてほぼ横長に形成され、遊技盤４に複数の固定ビス３３により固定されている。装飾板部材２３の中央上部寄り部分には、正面視にて横長矩形状に開口された開口部２３ａが貫通状に形成されている。図４、図５に示すように、入賞口ケース２２の前端において開口部２３ａに対応する位置に大入賞口１４が形成されている。
【００３６】
図３〜図６に示すように、装飾板部材２３の開口部２３ａには開閉部材２０が配設されている。この開閉部材２０は、装飾板部材２３の開口部２３ａを覆うように正面視にて矩形板状に形成され、慣性モーメントを小さくして開閉動作の応答性を高めるため、例えば合成樹脂材料で軽量に構成されている。
【００３７】
開閉部材２０の左右両端部の下端には、遊技盤４と平行に延びる枢支軸２４が設けられ、この枢支軸２４の先端部を装飾板部材２３の軸受け部に回動自在に装着することで、開閉部材２０が、図４、図７に示すように、その上端部が大入賞口１４の上縁部から前方に離隔し所定小角度傾斜した閉位置と、図５、図８に示す開位置とに亙って位置切換え自在に構成されている。開閉部材２０が開位置のとき大入賞口１４が開放状態になり、閉位置のとき大入賞口１４がほぼ閉塞状態になる。
【００３８】
図４〜図９に示すように、開閉部材２０を開閉駆動する駆動手段２１は、入賞口ケース２２の左側壁の内側近傍部位に設けられ、開閉部材２０と一体成形されたアーム部材２５と、このアーム部材２５と一体成形され且つ遊技盤４と平行な係合ピン２５ａと、この係合ピン２５ａに係合された揺動部材２７と、この揺動部材２７に連結ピン２８ｂを介して連結され且つソレノイドアクチュエータ２９の出力軸２９ａに固着された連結部材２８と、連結部材２８と揺動部材２７を介して開閉部材２０を開方向へ駆動するソレノイドアクチュエータ２９と、開閉部材２０を閉方向へ駆動するバネ部材３０とを有する。
【００３９】
連結部材２８の前部の中央には、前後方向に細長い長穴２８ａが形成され、この長穴２８ａに、入賞口ケース２２内に固定された支持部材２６に支持された左右方向に水平な支持軸３１の一端部分が挿通されている。
この支持軸３１の他端部は、揺動部材２７に形成された円形の枢支穴２７ａに挿入されて、揺動部材２７を揺動自在に支持している。揺動部材２７の後部の上端部には切欠き２７ｂが形成され、この切欠き２７ｂには連結部材２８に一体成形された連結ピン２８ｂが係合され、揺動部材２７は連結部材２８の動作に連動して支持軸３１を中心に回動する。
【００４０】
揺動部材２７の前端部には切欠いて形成した係合凹部２７ｃが形成されている。アーム部材２５の下端後部には左方に突出した係合ピン２５ａが形成されている。左側の係合ピン２５ａが係合凹部２７ｃに係合され、係合凹部２７ｃが回動して係合ピン２５ａが上下移動し、アーム部材２５を介して開閉部材２０が一体的に回動する。尚、右側の係合ピン２５ａは、入賞口ケース２２に形成された円弧溝２２ａに係合されている。
【００４１】
ソレノイドアクチュエータ２９は、箱状の金属製のケース３９に収容されている。ソレノイドアクチュエータ２９の出力軸２９ａは、ケース３９の前面の貫通穴を挿通して前方へ突出しており、その先端には連結部材２８の後端部に一体成形された係合部２８ｃが固着されている。ケース３９の前面と係合部２８ｃの間において、出力軸２９ａには、バネ部材３０が同心状に外嵌されている。
【００４２】
図６〜図９に示すように、バネ部材３０は、開閉部材２０を協働して閉方向へ駆動する第１，第２バネ部材３４，３５を有する。第１，第２バネ部材３４，３５は、連結部材２８を前方へ弾性付勢する付勢力を発生させる円筒形の圧縮コイルバネである。
【００４３】
第１バネ部材３４は、第２バネ部材３５と比較して、自由長が長く、外径が大きく、弾性変形量が大きく、バネ定数が小さい圧縮コイルバネである。第２バネ部材３５は、第１バネ部材３４よりも太いバネ線材で構成され且つ開閉部材２０を閉方向へ付勢する弾性付勢力が強い圧縮コイルバネである。
【００４４】
図９に示すように、第１，第２バネ部材３４，３５は出力軸２９ａに並列状に外嵌され、第１バネ部材３４は第２バネ部材３５に外遊嵌されている。第１，第２バネ部材３４，３５の一端がソレノイドアクチュエータ２９のケース３９の前面に当接され、他端が連結部材２８に後端部に固定された環状のバネ受け板３６で受け止められている。ケース３９の前面とバネ受け板３６には、リング部材３７ａ，３７ｂが夫々設けられ、これらリング部材３７ａ，３７ｂは、出力軸２９ａに並列状に外嵌された第１，第２バネ部材３４，３５の相互の干渉を防止するため、第１バネ部材３４と第２バネ部材３５との間に位置するように配設されている。
【００４５】
ソレノイドアクチュエータ２９に通電して駆動すると（励磁状態）、その出力軸２９ａが第１，第２バネ部材３４，３５の付勢力に抗して退入し、連結部材２８が所定ストローク後方へ移動する。この連結部材２８の移動に連動して揺動部材２７が図７の位置から図８の位置に支持軸３１を中心に反時計回り方向に揺動し、係合凹部２７ｃにより係合ピン２５ａが上方へ押し上げられ、アーム部材２５と開閉部材２０が枢支軸２４を中心に時計回りに一体的に回動して、開閉部材２０が開位置となる。
【００４６】
一方、ソレノイドアクチュエータ２９への通電を停止すると（消磁状態）、第１，第２バネ部材３４，３５の付勢力により、その出力軸２９ａが伸長し、連結部材２８が所定ストローク前方へ移動する。この連結部材２８の移動に連動して揺動部材２７が図８の位置から図７の位置に支持軸３１を中心に時計回り方向に揺動し、係合凹部２７ｃにより係合ピン２５ａが下方へ押し下げられ、アーム部材２５と開閉部材２０が枢支軸２４を中心に反時計回り方向に一体的に回動して、開閉部材２０が閉位置となる。
【００４７】
開閉部材２０が開位置から閉位置へ復帰する際の閉動作について図９、図１０に基づいて説明する。開閉部材２０が開位置から例えば３／４だけ閉じた３／４閉位置までは、第１，第２バネ部材３４，３５の強い合計付勢力により付勢され、３／４閉位置から全閉位置までは、第１バネ部材３４の弱い付勢力により付勢される。
例えば図１０に示すように、第１バネ部材３４は、第２バネ部材３５よりも全開状態のときの弾性変形量が大きく、弾性変形量がΔＸ３〜ΔＸ１の範囲で開閉部材２０を付勢し、第２バネ部材３５は、弾性変形量がΔＸ２〜０の範囲で開閉部材２０を付勢する。
【００４８】
開閉部材２０が開位置のとき、第１，第２バネ部材３４，３５は圧縮状態であり、第１バネ部材３４は、第２バネ部材３５よりも大きい圧縮変形量ΔＸ３でＦ２の付勢力を発生し、第２バネ部材３５は、第１バネ部材３４よりも小さい圧縮変形量ΔＸ２で第１バネ部材３４よりも強い付勢力Ｆ３を発生する。
この圧縮状態から、開閉部材２０が閉動作する場合、開閉部材２０は、最初は第１バネ部材３４の付勢力Ｆ２と第２バネ部材３５の強い付勢力Ｆ３とにより付勢されるので、例えば第２バネ部材３５が伸びきる３／４閉位置までは速い復帰速度で閉動作する。
【００４９】
次に、図９に示すように、第２バネ部材３５が伸びきると、開閉部材２０が第１バネ部材３４の弱い付勢力Ｆ１の付近の付勢力により付勢されるので、開閉部材２０は遅い復帰速度で３／４閉位置から閉位置まで閉動作する。
【００５０】
以上説明した実施例１のパチンコ遊技機１の作用効果について説明する。
遊技者が発射ハンドル７を回動操作することで、遊技球Ｐが遊技領域５の頂部に連続的に投入され、多数の障害釘１０や風車に当たって方向を変えながら落下していく。始動入賞口装置１１の上始動入賞口１１ａに遊技球Ｐが入賞すると、特別図柄表示器１８ａが変動して、停止図柄が大当り図柄になった場合、大入賞口１４が開放され、大当り遊技状態が発生する。
【００５１】
この大当り遊技状態において、大入賞口１４は、所定の入賞条件に基づいて、開閉部材２０により大入賞口１４が開閉されるが、開閉部材２０が開位置から閉位置へ復帰する際、閉まりかかった開閉部材２０の上端部と大入賞口１４の上縁部との間に遊技球Ｐが挟まる球噛み状態が発生することがある。
【００５２】
開閉部材２０は、その閉動作の途中位置（例えば３／４閉位置）までは、第１バネ部材３４の弾性付勢力と第２バネ部材３５の第１バネ部材３４よりも強い弾性付勢力とにより付勢されるので、速い復帰速度で開位置から途中位置まで短時間で復帰する。
【００５３】
そして、第２バネ部材３５が伸びきった後、開閉部材２０は、途中位置から閉位置までは、第１バネ部材３４の弱い弾性付勢力により付勢されるので、開閉部材２０の復帰速度も遅くなるため、また、開閉部材２０の上端部分と大入賞口１４の上縁部との間に遊技球Ｐを挟み込む力が弱くなるため、球噛みが発生しにくくなる。
【００５４】
前記実施例１を部分的に変更する例について説明する。
１］実施例１では、ソレノイドアクチュエータ２９の出力軸２９ａに第１，第２バネ部材３４，３５を並列状に外嵌したが、図１１に示すように、第１，第２バネ部材３４Ａ，３５Ａを出力軸２９ａに直列状に外嵌してもよい。
【００５５】
この場合、第１，第２バネ部材３４Ａ，３５Ａの外径は同じであるが、第１バネ部材３４Ａは、第２バネ部材３５ａと比較して、バネの自由長が長く、弾性変形量が大きく、バネ定数が小さい圧縮コイルバネである。一方、第２バネ部材３５Ａは、第１バネ部材３４Ａよりも太いバネ線材で構成された圧縮コイルバネである。
【００５６】
第１，第２バネ部材３４Ａ，３５Ａを出力軸２９ａに直列状に外嵌する場合、第１，第２バネ部材３４Ａ，３５Ａの間にワッシャー３８が挟着される。開閉部材２０が開位置のとき、第１，第２バネ部材３４Ａ，３５Ａの付勢力は等しくなっている。
開閉部材２０が開位置から閉位置へ復帰する際、先ず、開位置から途中位置（例えば、３／４閉位置）までは、第１，第２バネ部材３４Ａ，３５Ａで共通に直列的に発生する強い付勢力で付勢され、その後、第１，第２バネ部材３４Ａ，３５Ａで共通に直列的に発生する弱い付勢力で付勢される。そのため、前記実施例と同様の作用、効果が得られる。
【００５７】
２］実施例１では、従来の大入賞口装置よりも上下幅が小さい大入賞口１４を有する大入賞口装置１３に、本発明を適用したが、従来の大入賞口と同サイズの大入賞口を有する大入賞口装置にも本発明を適用可能である。
【００５８】
３］実施例１では、第１種パチンコ機に分類されるパチンコ遊技機１に本発明を適用したが、羽根モノと呼ばれる第２種パチンコ機に分類されるパチンコ遊技機に設けられた大入賞口装置に本発明を適用してもよい。
【実施例２】
【００５９】
次に、実施例２のパチンコ遊技機について説明する。
但し、実施例１と同様の構成部材については同様の符号を付してその説明を省略する。この実施例２は始動入賞口装置１１に本発明を適用した場合の一例を示すものである。
【００６０】
図２、図１２〜図１５に示すように、始動入賞口装置１１は、センタ役物１７の下側に配置され、ゲート式の上始動入賞口１１ａと、開閉式の下始動入賞口１１ｂと、この下始動入賞口を開閉する１対の開閉部材１１ｃと、始動入賞口１１ａ，１１ｂに入賞した遊技球Ｐを検出する始動口ＳＷ（図示略）と、開閉部材１１ｃを駆動する駆動手段４０とを有する。  
【００６１】
図１２〜図１５に示すように、開閉部材１１ｃは、盤面４ａと直交する方向に所定の幅を有する左右対称形状の１対の短い羽根部材４１ａ，４１ｂであり、軽量化し慣性モーメントを小さくして開閉動作の応答性を高めるため、例えば、合成樹脂材料で軽量に構成されている。
【００６２】
１対の羽根部材４１ａ，４１ｂは、夫々、その下端に盤面４ａと直交する枢支軸５１ａ，５１ｂを有し、この枢支軸５１ａ，５１ｂを駆動手段４０の揺動部材４２に回動自在に装着することで、１対の羽根部材４１ａ，４１ｂが、図１２、図１４に示す起立姿勢の閉位置と、図１３、図１５に示す逆ハ字形の傾動姿勢の開位置とに亙って位置切換え自在に構成されている。羽根部材４１ａ，４１ｂが開位置のとき下始動入賞口１１ｂが開放状態となり、閉位置のとき下始動入賞口１１ｂが閉塞状態となる。
【００６３】
駆動手段４０は、揺動部材４２と、揺動部材４２を介して開閉部材１１ｃを開方向へ駆動するソレノイドアクチュエータ４３と、開閉部材１１ｃを揺動部材４２を介して閉方向へ駆動するバネ部材４４とを有する。
【００６４】
揺動部材４２は、所定間隔空けて平行に配置された左右対称の１対の揺動片４２ａ，４２ｂと、これら揺動片４２ａ，４２ｂを連結する連結軸４２ｃと、連結軸４２よりも後方に形成れた係合ピン４２ｄとを有する。これらは合成樹脂材料で一体形成されている。１対の揺動片４２ａ，４２ｂは、その後端部の下端に、夫々、遊技盤４と平行に延びる枢支軸４５ａ，４５ｂを有し、これら枢支軸４５ａ，４５ｂは、始動入賞口装置１１を覆う枠部材に回動自在に装着されている。１対の揺動片部４２ａ，４２ｂの先端部には、夫々、切欠き状の係合溝５３ａ，５３ｂが形成され、これら係合溝５３ａ，５３ｂに１対の羽根部材４１ａ，４１ｂの枢支軸５１ａ，５１ｂが夫々遊嵌されている。
【００６５】
ソレノイドアクチュエータ４３は、箱状の金属製のケース５０に収容されている。ソレノイドアクチュエータ４３の出力軸４３ａの前端部には円形の係合板４６が固着されている。この係合板４６よりも後方に所定間隔空けて環状のバネ受け板４９が出力軸４３ａに外嵌されている。係合板４６とバネ受け板４９との間に形成された凹部には、揺動部材４２の係合ピン４２ｄが係合されている。
【００６６】
バネ部材４４は、１対の羽根部材４１ａ，４１ｂを協働して閉方向へ駆動する第１，第２バネ部材４７，４８を有する。第１バネ部材４７は、第２バネ部材４８と比較して、自由長が長く、外径が大きく、弾性変形量が大きく、バネ定数が小さな圧縮コイルバネである。第２バネ部材４８は、第１バネ部材４７よりも太いバネ線材で構成され且つ開閉部材１１ｃを閉方向へ付勢する強い弾性付勢力を発生させる圧縮コイルバネである。
【００６７】
図１６に示すように、第１，第２バネ部材４７，４８は、第１バネ部材４７が第２バネ部材４８の外周を覆って出力軸４３ａに並列状に遊嵌され、第１バネ部材４７は第２バネ部材４８に外遊嵌されている。第１，第２バネ部材４７，４８の一端がバネ受け板４９で受け止められ、他端がソレノイドアクチュエータ４３のケース５０の前面に当接している。
【００６８】
ケース５０の前面とバネ受け板４９には、リング部材５２ａ，５２ｂが夫々設けられ、これらリング部材５２ａ，５２ｂは、出力軸４３ａに並列状に外嵌された第１，第２バネ部材４７，４８の相互の干渉を防止するため、第１バネ部材４７と第２バネ部材４８との間に位置するように配設されている。
【００６９】
ソレノイドアクチュエータ４３に通電して駆動すると（励磁状態）、その出力軸４３ａが第１，第２バネ部材４７，４８の付勢力に抗して退入し、１対の揺動片４２ａ，４２ｂが図１４の位置から図１５の位置に支持軸４５ａ，４５ｂを中心に時計回り方向に回動すると共に、右側羽根部材４１ａが枢支軸５１ａを中心に時計回り方向に回動し、左側羽根部材４１ｂが枢支軸４５ｂ中心に反時計回り方向に回動して開位置となる。
【００７０】
一方、ソレノイドアクチュエータ４３への通電を停止すると（消磁状態）、第１，第２バネ部材４７，４８の付勢力により、その出力軸４３ａが伸長し、１対の揺動片４２ａ，４２ｂ図１５の位置から図１４の位置に支持軸４５ａ，４５ｂを中心に反時計回り方向に回動すると共に、右側羽根部材４１ａが枢支軸４５を中心に反時計回り方向に回動し、左側羽根部材４１ｂが枢支軸５１ｂを中心に時計回り方向に回動して閉位置となる。
【００７１】
１対の羽根部材４１ａ，４１ｂの開位置から閉位置へ復帰する際の閉動作については、前記の実施例１と同様であるので、その詳細な説明については省略する。
１対の羽根部材４１ａ，４１ｂが開位置から例えば３／４だけ閉じた３／４閉位置までは、第１，第２バネ部材４７，４８の強い合計付勢力により付勢され、３／４閉位置から全閉位置までは、第１バネ部材４７の弱い付勢力により付勢される。
【００７２】
羽根部材４１ａ，４１ｂが開位置のとき、第１，第２バネ部材４７，４８は圧縮状態であり、第１バネ部材４７は、第２バネ部材４８よりも大きい圧縮変形量で付勢力を発生し、第２バネ部材４８は、第１バネ部材４７よりも小さい圧縮変形量で第１バネ部材４７よりも強い付勢力を発生する。
【００７３】
この圧縮状態から、羽根部材４１ａ，４１ｂが閉動作する場合、羽根部材４１ａ，４１ｂは、最初は第１バネ部材４７の付勢力と第２バネ部材４８の強い付勢力とにより付勢されるので、例えば第２バネ部材４８が伸びきる３／４閉位置までは速い復帰速度で閉動作する。
【００７４】
次に、図１６に示すように、第２バネ部材４８が伸びきると、羽根部材４１ａ，４１ｂが第１バネ部材の弱い付勢力の付近の付勢力により付勢されるので、羽根部材４１ａ，４１ｂは遅い復帰速度で３／４閉位置から閉位置まで閉動作する。
【００７５】
以上説明した実施例２のパチンコ遊技機の作用効果について説明する。
遊技者が発射ハンドル７を回動操作することで、遊技球Ｐが遊技領域５の頂部に連続的に投入され、ゲート１２を通過すると、普通図柄表示器１８ｂが変動して、当りになった場合に、下始動入賞口１１ｂが開放される。
【００７６】
左右１対の羽根部材４１ａ，４１ｂが開位置から閉位置へ復帰する際、閉まりかかった１対の羽根部材４１ａ，４１ｂの間に遊技球Ｐが挟まる球噛み状態が発生することがある。
羽根部材４１ａ，４１ｂは、その閉動作の途中位置（例えば３／４閉位置）までは、第１バネ部材４７の弾性付勢力と第２バネ部材４８の第１バネ部材４７よりも強い弾性付勢力とにより付勢されるので、速い復帰速度で開位置から途中位置まで短時間で復帰する。
【００７７】
そして、第２バネ部材４８が伸びきった後、羽根部材４１ａ，４１ｂは、途中位置から閉位置までは、第１バネ部材４７の弱い弾性付勢力により付勢されるので、羽根部材４１ａ，４１ｂの復帰速度も遅くなるため、１対の羽根部材４１ａ，４１ｂの間に遊技球Ｐを挟み込む力が弱くなるため、球噛みが発生しにくくなる。
【００７８】
前記実施例２を部分的に変更する例について説明する。
１］実施例２では、ソレノイドアクチュエータ４３の出力時４３ａに、第１，第２バネ部材４７，４８を並列状に外嵌したが、第１，第２バネ部材４７，４８を出力軸４３ａに直列状に外嵌してもよい。
【００７９】
２］実施例１では、第１種パチンコ機に分類されるパチンコ遊技機１に本発明を適用したが、羽根モノと呼ばれる第２種パチンコ機に分類されるパチンコ遊技機に設けられた可変入賞口装置の羽根部材に本発明を適用してもよい。
【００８０】
３］その他、当業者であれば、本発明の趣旨を逸脱することなく、前記実施例１，２に種々の変更を付加した形態が実施可能であり、本発明はそのような変更形態を包含するものである。
【産業上の利用可能性】
【００８１】
本発明は、実施例で開示したパチンコ遊技機以外の種々のパチンコ遊技機への適用が可能である。
【符号の説明】
【００８２】
Ｐ            遊技球
１            パチンコ遊技機
４            遊技盤
４ａ          盤面
１１          始動入賞口装置
１１ｂ        下始動入賞口
１１ｃ        開閉部材
１３          大入賞口装置
１４          大入賞口
２０          開閉部材
２１、４０    駆動手段
２９、４３    ソレノイドアクチュエータ
２９ａ、４３ａ出力軸
３０、４４    バネ部材
３４、３４Ａ、４７    第１バネ部材
３５、３５Ａ、４８    第２バネ部材
４１ａ        右側羽根部材
４１ｂ        左側羽根部材
【図１】
2010227319.tif 000003
【図２】
2010227319.tif 000004
【図３】
2010227319.tif 000005
【図４】
2010227319.tif 000006
【図５】
2010227319.tif 000007
【図６】
2010227319.tif 000008
【図７】
2010227319.tif 000009
【図８】
2010227319.tif 000010
【図９】
2010227319.tif 000011
【図１０】
2010227319.tif 000012
【図１１】
2010227319.tif 000013
【図１２】
2010227319.tif 000014
【図１３】
2010227319.tif 000015
【図１４】
2010227319.tif 000016
【図１５】
2010227319.tif 000017
【図１６】
2010227319.tif 000018
【図１７】
2010227319.tif 000019
【図１８】
2010227319.tif 000020